(57)【特許請求の範囲】
【請求項１】
Ｘ線管と、前記Ｘ線管から照射され被検者を通過したＸ線を検出するＸ線検出部とを備えるＸ線撮影装置において、
前記Ｘ線管を移動可能に支持するＸ線管支持部と、
Ｘ線撮影台に対して移動可能に配設され、前記Ｘ線検出部を収納するブッキー部と、
前記Ｘ線管に高電圧を印加することにより前記Ｘ線管によるＸ線の照射を制御する高電圧装置と、
前記Ｘ線管支持部、前記Ｘ線撮影台および前記高電圧装置の各々に配設され、Ｘ線撮影を行う被検者の情報を表示する表示部と、
前記Ｘ線管支持部、前記Ｘ線撮影台および前記高電圧装置の各々に配設され、前記表示部に表示された被検者の情報が確認されたときに操作者により入力動作が実行される被検者情報確認入力部と、
前記Ｘ線管支持部、前記Ｘ線撮影台または前記高電圧装置のいずれかの被検者情報確認入力部に対する入力動作が実行されるまで、前記Ｘ線管支持部によるＸ線管の移動と、前記ブッキー部の移動とを制限するとともに、前記Ｘ線管支持部、前記Ｘ線撮影台または前記高電圧装置のいずれかの被検者情報確認入力部に対する入力動作が実行されたときに、前記Ｘ線管支持部によるＸ線管の移動と、前記ブッキー部の移動との制限を解除する操作制限手段と、
を備えたことを特徴とするＸ線撮影装置。
【請求項２】
請求項１に記載のＸ線撮影装置において、
前記操作制限手段は、操作者により前記Ｘ線管支持部、前記Ｘ線撮影台または前記高電圧装置のいずれかの前記被検者情報確認入力部に対する操作者による入力動作が実行されるまで、前記高電圧装置の操作者による操作を制限するＸ線撮影装置。
【請求項３】
請求項１に記載のＸ線撮影装置において、
前記Ｘ線管支持部に前記表示部を備えた操作パネルが付設されるとともに、前記被検者情報確認入力部は前記操作パネルに配設されており、
前記操作制限手段は、前記被検者情報確認入力部に対する操作者による入力動作が実行されるまで、前記Ｘ線管の回転、昇降および水平移動を制限するＸ線撮影装置。
【請求項４】
請求項１から請求項３のいずれかに記載のＸ線撮影装置において、
前記表示部は、タッチパネル式の液晶表示器から構成され、前記被検者情報確認入力部は、前記液晶表示器に表示される確認用の操作ボタンであるＸ線撮影装置。
【発明の詳細な説明】
【技術分野】
【０００１】
この発明は、Ｘ線管と、このＸ線管から照射され被検者を通過したＸ線を検出するＸ線検出部とを備えるＸ線撮影装置に関する。
【背景技術】
【０００２】
このようなＸ線撮影装置においては、被検者を誤って撮影を実行した場合には、撮影が無駄になるばかりではなく、誤った撮影により誤診を生ずる場合もある。このため、被検者を確認するシステムの採用が必要となる。
【０００３】
特許文献１には、被験者名を表示する表示装置を設けることにより、撮影や治療を受ける被検者の取り違えを防止するようにした医用装置が開示されている。
【０００４】
特許文献２には、検査室に設置された撮影装置における操作パネル中央の表示パネルに、被検者の顔写真と名前が表示される構成とし、操作者がこの写真の個人情報をもとに、来室した患者が本人であることを確認して撮影することにより、患者の取り間違いをなくすようにしたＸ線撮影装置が開示されている。
【０００５】
特許文献３には、患者の登録ＩＤ、氏名、性別、生年月日等の患者識別情報が書き込まれた診療カードを患者に保持させるとともに、患者識別情報を自動的に読み取るカードリーダを配設することにより、患者を迅速かつ的確に認識でき、また、検査のスループットを向上させることができる医療検査システムが開示されている。
【先行技術文献】
【特許文献】
【０００６】
【特許文献１】特開２００３−５２６４１号公報
【特許文献２】特開２００５−２６１８５４号公報
【特許文献３】特開２００３−４４５８８号公報
【発明の開示】
【発明が解決しようとする課題】
【０００７】
特許文献１や特許文献２に記載されたように、被検者の情報を表示する構成を採用した場合には、被検者の情報を容易に確認することが可能となる。しかしながら、操作者は、一日当たり数十人から百人以上の被検者に対してＸ線撮影を行うことから、これから撮影を行う被検者に対して被検者情報の確認を実行したか否かを忘れてしまうことがあり、被検者の取り違えにより誤った撮影を実行する可能性がある。
【０００８】
この発明は上記課題を解決するためになされたものであり、被検者の取り違えによる誤った撮影をより効果的に防止することが可能なＸ線撮影装置を提供することを目的とする。
【課題を解決するための手段】
【０００９】
請求項１に記載の発明は、Ｘ線管と、前記Ｘ線管から照射され被検者を通過したＸ線を検出するＸ線検出部とを備えるＸ線撮影装置において、前記Ｘ線管を移動可能に支持するＸ線管支持部と、Ｘ線撮影台に対して移動可能に配設され、前記Ｘ線検出部を収納するブッキー部と、前記Ｘ線管に高電圧を印加することにより前記Ｘ線管によるＸ線の照射を制御する高電圧装置と、前記Ｘ線管支持部、前記Ｘ線撮影台および前記高電圧装置の各々に配設され、Ｘ線撮影を行う被検者の情報を表示する表示部と、前記Ｘ線管支持部、前記Ｘ線撮影台および前記高電圧装置の各々に配設され、前記表示部に表示された被検者の情報が確認されたときに操作者により入力動作が実行される被検者情報確認入力部と、前記Ｘ線管支持部、前記Ｘ線撮影台または前記高電圧装置のいずれかの被検者情報確認入力部に対する入力動作が実行されるまで、前記Ｘ線管支持部によるＸ線管の移動と、前記ブッキー部の移動とを制限するとともに、前記Ｘ線管支持部、前記Ｘ線撮影台または前記高電圧装置のいずれかの被検者情報確認入力部に対する入力動作が実行されたときに、前記Ｘ線管支持部によるＸ線管の移動と、前記ブッキー部の移動との制限を解除する操作制限手段とを備えたことを特徴とする。
【００１０】
請求項２に記載の発明は、請求項１に記載の発明において、前記操作制限手段は、操作者により前記Ｘ線管支持部、前記Ｘ線撮影台または前記高電圧装置のいずれかの前記被検者情報確認入力部に対する操作者による入力動作が実行されるまで、前記高電圧装置の操作者による操作を制限するＸ線撮影装置。
【００１１】
請求項３に記載の発明は、請求項１に記載の発明において、前記Ｘ線管支持部に前記表示部を備えた操作パネルが付設されるとともに、前記被検者情報確認入力部は前記操作パネルに配設されており、前記操作制限手段は、前記被検者情報確認入力部に対する操作者による入力動作が実行されるまで、前記Ｘ線管の回転、昇降および水平移動を制限する。
【００１２】
請求項４に記載の発明は、請求項１から請求項３のいずれかに記載の発明において、前記表示部は、タッチパネル式の液晶表示器から構成され、前記被検者情報確認入力部は、前記液晶表示器に表示される確認用の操作ボタンである。
【発明の効果】
【００１３】
請求項１から請求項４に記載の発明によれば、表示部に表示された被検者の情報が確認されたときに操作される被検者情報確認入力部に対する入力動作が実行されるまでＸ線管の移動とブッキー部の移動を制限することから、被検者の取り違えによる誤った撮影を効果的に防止することが可能となる。
【００１４】
また、Ｘ線管支持部、Ｘ線撮影台または高電圧装置のいずれかの被検者情報確認入力部に対する入力動作を実行することにより、Ｘ線管の移動とブッキー部の移動の制限を解除することができ、Ｘ線撮影を効率的に実行することが可能となる。
【図面の簡単な説明】
【００１５】
【図１】この発明に係るＸ線撮影装置の概要図である。
【図２】この発明に係るＸ線撮影装置におけるＸ線管支持部４およびＸ線撮影台３の斜視図である。
【図３】この発明に係るＸ線撮影装置の主要な制御系を示すブロック図である。
【図４】高電圧装置２の概要図である。
【図５】永電磁石の概要図である。
【図６】操作部４１の正面図である。
【図７】コンソール部１における操作パネル１１の表示部、高電圧装置２における操作パネル２１の表示部２２、Ｘ線撮影台３における操作パネル３２の表示部３５、Ｘ線管支持部４の操作部４１における操作パネル４４の表示部４６に同時に表示される表示画面５の説明図である。
【発明を実施するための形態】
【００１６】
以下、この発明の実施の形態を図面に基づいて説明する。図１は、この発明に係るＸ線撮影装置の概要図である。また、図２は、この発明に係るＸ線撮影装置におけるＸ線撮影台３およびＸ線管支持部４の斜視図である。さらに、図３は、この発明に係るＸ線撮影装置の主要な制御系を示すブロック図である。
【００１７】
この発明に係るＸ線撮影装置は、操作者がＸ線撮影操作を実行するための操作室１０１に設置されたコンソール部１および高電圧装置２と、被検者に対して撮影を行うための撮影室１００に設置されたＸ線撮影台３およびＸ線管支持部４とを備える。撮影室１００と操作室１０１とは、隔壁１０２により遮断されている。
【００１８】
操作室１０１に設置されたコンソール部１は、タッチパネル式の液晶表示器から構成される表示部を備えた操作パネル１１を有する。また、このコンソール部１は、図３に示すように、後述する被検者情報確認入力部としての確認ボタンに対する入力動作が実行されるまで、Ｘ線撮影装置の操作を制限する操作制限部１２を備える。このコンソール部１は、病院内の被検者管理システムの院内通信である院内ネットワーク１０３と接続されている。
【００１９】
図４は、高電圧装置２の概要図である。
【００２０】
この高電圧装置２は、操作室１０１内において隔壁１０２に配設される。図３および図４に示すように、高電圧装置２は、タッチパネル式の液晶表示器から構成される表示部２２と入力ボタン２４と有する操作パネル２１と、Ｘ線管４２からのＸ線の照射を開始するためのスイッチ２３とを備える。この高電圧装置２は、Ｘ線管４２の管電圧や管電流、あるいは、Ｘ線照射時間等のＸ線の照射条件を設定するためのものである。この高電圧装置２は、図３に示す制御部２５により制御される。
【００２１】
Ｘ線撮影台３は、被検者を載置する天板３１と、タッチパネル式の液晶表示器から構成される表示部３５を備えた操作パネル３２と、その内部にＸ線検出部としてのフラットパネルディテクタ３８（図３参照）を収納したブッキー部３３と、天板３１およびブッキー部３３を昇降するための昇降部３４とを備える。ブッキー部３３は、図２に示すＧ方向に水平移動可能となっている。また、ブッキー部３３は、天板３１とともに、図２に示すＦ方向に昇降可能となっている。なお、図３に示す永電駆動部３６の作用により、上述したブッキー部３３の水平移動および昇降が制限される構成となっている。このＸ線撮影台３は、図３に示す制御部３９により制御される。
【００２２】
なお、この実施形態においては、天板３１上の被検者を臥位状態で撮影するテーブル式のＸ線撮影台３を採用しており、ブッキー部３３が図２に示すＧ方向に水平移動する構成となっている。これに対して、被検者を立位状態で撮影するスタンド式の撮影台を使用した場合には、ブッキー部３３は昇降することになる。
【００２３】
Ｘ線管支持部４は、図２に示すように、撮影室１００の天井に対して互いに直交するＡ方向およびＢ方向に移動可能な支持部６１と、この支持部６１から下方に延びる支持部６２と、この支持部６２に対してＣ方向に昇降するともに、Ｄ方向に回動する移動部６３と、この移動部６３の下端部に軸支され、操作部４１、Ｘ線管４２およびコリメータ４３を一体としてＥ方向に回動させる支持軸６４とを備える。このため、Ｘ線管４２は、Ａ、Ｂ、Ｃ、Ｄ、Ｅ方向に移動可能となっている。なお、図３に示す永電駆動部４７の作用により、上述したＸ線管４２の移動が制限される構成となっている。このＸ線管支持部４は、図３に示す制御部４８により制御される。
【００２４】
図５は、上述した永電駆動部３６、４７により制御される永電磁石の概要図である。
【００２５】
この永電磁石は、永久磁石７１と、鉄芯７２とこの鉄芯７２の回りに配設されたコイル７３とから構成される電磁石とを備える。コイル７３に電流が流れていない状態では、この永電磁石は永久磁石７１の作用により磁石としての機能を奏する。この場合には、永電磁石がＸ線撮影台３やＸ線管支持部４に配設された図示しないブレーキ板に吸着することにより制動力が生じ、ブッキー部３３やＸ線管４２の移動が制限されることになる。一方、電磁石を構成するコイル７３に対して電流を印加して、永久磁石７１の磁力をキャンセルする磁力を電磁石に発生させた場合には、永久磁石７１の作用による制動力が解除され、ブッキー部３３やＸ線管４２の移動が可能となる。
【００２６】
図６は、Ｘ線管支持部４における操作部４１の正面図である。
【００２７】
この操作部４１は、Ｘ線管４２を移動させるためのハンドル４５と、操作パネル４４とから構成される。操作パネル４４の中央部には、タッチパネル式の液晶表示器から構成される表示部４６が配設されている。また、この表示部４６の周囲には、永電駆動部４７に解除信号を送信することにより図５に示す永電磁石による制動力をなくし、Ｘ線管４２の移動の制限を解除するためのボタン５１、５２、５３、５４、５５、５６が配設されている。ここで、ボタン５１が押圧された場合にはＸ線管４２のＥ方向の回動の制限が解除され、ボタン５２が押圧された場合にはＸ線管４２のＤ方向の回動の制限が解除され、ボタン５３が押圧された場合にはＸ線管４２のＣ方向の昇降の制限が解除され、ボタン５４が押圧された場合にはＸ線管４２のＡ方向の水平移動の制限が解除され、ボタン５５が押圧された場合にはＸ線管４２のＢ方向の水平移動の制限が解除され、ボタン５６が押圧された場合にはＸ線管４２の全ての方向の移動の制限が解除される。
【００２８】
次に、上述したＸ線撮影装置によるＸ線撮影動作について説明する。図７は、Ｘ線撮影を行うときに、コンソール部１における操作パネル１１の表示部、高電圧装置２における操作パネル２１の表示部２２、Ｘ線撮影台３における操作パネル３２の表示部３５、Ｘ線管支持部４の操作部４１における操作パネル４４の表示部４６に同時に表示される表示画面５の説明図である。
【００２９】
Ｘ線撮影を開始するときには、コンソール部１が図３に示す院内ネットワーク１０３から被検者の情報を取得することにより、図７(ａ)に示すように、患者名、ＩＤ番号、性別、年齢、撮影すべき部位等の情報が表示画面５に表示される。また、この時には、タッチパネル式の液晶表示器から構成される表示部２２、３２、４６の表示画面５には、被検者情報確認入力部としての確認用の操作ボタン６が表示される。この確認用の操作ボタン６は、表示部２２、３２、４６の表示画面５に表示された被検者の情報が確認されたときに、操作者が押圧することで入力動作が実行され、これによりＸ線撮影装置の操作の制限が解除されるものである。
【００３０】
すなわち、Ｘ線撮影を開始するときには、表示画面５には「被検者確認完了」と記載された確認用の操作ボタン６が表示されている。この場合には、コンソール部１における操作制限部１２からの指令で、Ｘ線撮影装置の操作が制限される。すなわち、高電圧装置２においては、制御部２５の制御により、Ｘ線撮影またはＸ線照射条件の変更が制限されている。また、Ｘ線撮影台３においては、制御部３９の制御により、永電駆動部３６の指令で永電磁石が磁石として機能し、ブッキー部３３の移動が制限される。さらに、Ｘ線管支持部４においては、制御部４８の制御により、永電駆動部４７の指令で永電磁石が磁石として機能し、Ｘ線管４２の移動が制限される。
【００３１】
この状態において、操作者が、コンソール部１における操作パネル１１の表示部、高電圧装置２における操作パネル２１の表示部２２、Ｘ線撮影台３における操作パネル３２の表示部３５、Ｘ線管支持部４の操作部４１における操作パネル４４の表示部４６のいずれかに表示された表示画面５の内容を視認し、被検者に間違いがないことが確認された場合には、コンソール部１における操作パネル１１の表示部、高電圧装置２における操作パネル２１の表示部２２、Ｘ線撮影台３における操作パネル３２の表示部３５、Ｘ線管支持部４の操作部４１における操作パネル４４の表示部４６のいずれかに表示された表示画面５における確認用の操作ボタン６を押圧する。
【００３２】
これにより、コンソール部１における操作制御部１２からの指令で高電圧装置２におけるＸ線撮影またはＸ線照射条件の変更の制限と、Ｘ線撮影台３におけるブッキー部３３の移動の制限と、Ｘ線管支持部４におけるＸ線管４２の移動の制限が解除される。そして、各表示画面５からは確認用の操作ボタン６の表示が解除され、各表示画面５には、図７（ｂ)に示すように、Ｘ線管焦点・受像面間距離(ＳＩＤ）とＸ線管４２の角度が表示される。操作者は、この表示画面５を確認した上で、高電圧装置２によりＸ線照射条件を変更するとともに、Ｘ線撮影台３におけるブッキー部３３とＸ線管支持部４におけるＸ線管４２とを必要な位置に移動させることにより、Ｘ線撮影の準備を開始する。
【００３３】
このように、この実施形態に係るＸ線撮影装置によれば、操作者が確認用の操作ボタン６を押さない限りは、Ｘ線撮影装置の操作が制限されることから、被検者の確認が終了する前にＸ線撮影が実行されることを防止することができる。このため、被検者の取り違えによる誤った撮影を効果的に防止することが可能となる。この時、操作者が、コンソール部１における操作パネル１１の表示部、高電圧装置２における操作パネル２１の表示部２２、Ｘ線撮影台３における操作パネル３２の表示部３５、Ｘ線管支持部４の操作部４１における操作パネル４４の表示部４６のいずれかに表示された表示画面５内の確認用の操作ボタン６を押すことにより操作の制限を解除できることから、誤撮影を防止しながら、操作性を向上されることが可能となる。
【符号の説明】
【００３４】
１      コンソール部
２      高電圧装置
３      Ｘ線撮影台
４      Ｘ線管支持部
５      表示画面
６      操作ボタン
１１    操作パネル
１２    操作制限部
２１    操作パネル
２２    表示部
２３    スイッチ
２５    制御部
３１    天板
３２    操作パネル
３３    ブッキー部
３４    昇降部
３５    制御部
３６    永電駆動部
４１    操作部
４２    Ｘ線管
４４    操作パネル
４５    ハンドル
４６    表示部
４７    永電駆動部
４８    制御部
７１    永久磁石
７２    鉄芯
７３    コイル
１００  撮影室
１０１  操作室
１０３  院内ネットワーク
【図１】
0005884634.tif 000002
【図２】
0005884634.tif 000003
【図３】
0005884634.tif 000004
【図４】
0005884634.tif 000005
【図５】
0005884634.tif 000006
【図６】
0005884634.tif 000007
【図７】
0005884634.tif 000008